(57)【要約】【課題】各画素の閾値電圧の変動及び各画素の電流増幅率のばらつきによる表示画質の低下を抑制する。【解決手段】各画素１１(i,j)は、有機ＥＬ素子と有機ＥＬ素子に電流を供給する駆動トランジスタを備える。データドライバ１６は、各画素１１(i,j)から予め設定された電流を引き込み、各データラインＬd(i)の電位を計測する。システムコントローラ１３は、引き込んだ電流の電流値とデータドライバ１６により計測された各データラインＬd(i)の電位の値とに基づいて各画素１１(i,j)に対応する電流増幅率と閾値電圧とを取得して補正データ記憶部に記憶する。実使用時、システムコントローラ１３は、記憶された電流増幅率と閾値電圧の値とに基づいて表示データＰicを補正してデータドライバ１６に供給する。【選択図】図１
2010085498.tif 000002
【特許請求の範囲】
【請求項１】
電流制御型の発光素子と該発光素子に供給する電流を制御する駆動トランジスタを有する画素駆動回路とを備える表示画素を、一端が前記駆動トランジスタの電流路の一端に電気的に接続される信号線を介して駆動する表示駆動装置であって、
前記信号線を介して前記駆動トランジスタの電流路に電流が流れるときの、前記電流の電流値と前記信号線の他端の電位の値とを取得するデータ取得部と、
前記データ取得部によって取得された前記電流値と前記電位の値とに基づいて、前記駆動トランジスタの閾値電圧及び電流増幅率を取得する補正演算部と、
を備えることを特徴とする表示駆動装置。
【請求項２】
前記補正演算部は、前記信号線の他端の電位と前記駆動トランジスタの電流路の他端側の電位との差分による印加電圧の電圧値と、前記信号線に流れる電流の電流値と、に基づいて、前記閾値電圧及び前記電流増幅率を取得することを特徴とする請求項１に記載の表示駆動装置。
【請求項３】
前記データ取得部は、前記電流値又は前記電位の値を少なくとも２つの異なる値に設定して、前記電流値と前記電位の値とを少なくとも２回取得し、
前記補正演算部は、前記印加電圧に対応して前記駆動トランジスタの電流路に流れる電流の電流値が、該駆動トランジスタの閾値電圧及び電流増幅率をパラメータとした値であることに基づいて、前記データ取得部により取得された少なくとも２つの前記電流値と少なくとも２つの前記印加電圧の値より、前記閾値電圧及び前記電流増幅率を取得することを特徴とする請求項２に記載の表示駆動装置。
【請求項４】
前記補正演算部により取得される前記閾値電圧及び前記電流増幅率を記憶する補正データ記憶部を備え、
前記補正演算部は、取得した前記閾値電圧及び前記電流増幅率の値を前記補正データ記憶部に記憶させた後のタイミングにおいて、前記補正データ記憶部に記憶された前記電流増幅率の値と、前記データ取得部による１回の前記取得による１つの前記電流値と前記電位の値に基づいて前記閾値電圧を再度取得して、前記補正データ記憶部に記憶された前記閾値電圧の値を更新することを特徴とする請求項１乃至３のいずれか１項に記載の表示駆動装置。
【請求項５】
前記補正演算部は、外部から供給される表示データを、前記補正データ記憶部に記憶された前記閾値電圧及び前記電流増幅率に基づいて補正した階調信号を生成し、
前記階調信号に対応した電圧値を有する電圧信号を前記信号線の他端に印加するデータ出力部を備えることを特徴とする請求項４に記載の表示駆動装置。
【請求項６】
前記補正演算部は、前記階調信号を、前記表示データの階調値に対する前記表示画素の前記発光素子の発光輝度が予め設定されたガンマ特性を示す値に設定することを特徴とする請求項５に記載の表示駆動装置。
【請求項７】
前記データ取得部は、前記信号線に予め設定された電流値の電流を供給する定電流源を有する電流源部と、前記信号線の他端の電位を測定する電圧計を有する電圧測定部と、を備え、
前記電圧測定部は、前記電流源部から供給する前記電流の電流値を予め設定された値に設定したときの前記信号線の他端の電位の値を測定することを特徴とする請求項１乃至６のいずれか１項に記載の表示駆動装置。
【請求項８】
前記データ取得部は、前記信号線の他端に予め設定された電圧値の電圧を供給する定電圧源を有する電圧源部と、前記信号線に流れる電流の電流値を測定する電流計を有する電流測定部と、を備え、
前記電流測定部は、前記電圧源部から供給する前記電圧の電圧値を予め設定された値に設定したときの前記信号線に流れる電流の電流値を測定することを特徴とする請求項１乃至６のいずれか１項に記載の表示駆動装置。
【請求項９】
表示データに応じた画像情報を表示する表示装置であって、
電流制御型の発光素子と該発光素子に供給する電流を制御する駆動トランジスタを有する画素駆動回路とを備える複数の表示画素と、
一端が前記複数の表示画素の各々の前記駆動トランジスタの電流路の一端に電気的に接続される複数の信号線と、
前記複数の信号線の各々を介して前記駆動トランジスタの電流路に電流が流れるときの、前記電流の電流値と前記各信号線の他端の電位の値とを取得するデータ取得部と、
前記データ取得部によって取得された前記電流値と前記電位の値に基づいて、前記複数の表示画素の各々の前記駆動トランジスタの閾値電圧及び電流増幅率を取得し、前記表示データを取得された前記閾値電圧及び前記電流増幅率に基づいて補正した階調信号を生成する補正演算部と、
前記階調信号に対応した電圧値を有する電圧信号を前記各信号線の他端に印加するデータ出力部と、
を備えることを特徴とする表示装置。
【請求項１０】
前記補正演算部は、前記階調信号を、前記表示データの階調値に対する前記各表示画素の前記発光素子の発光輝度が予め設定されたガンマ特性を示す値に設定することを特徴とする請求項９に記載の表示装置。
【請求項１１】
前記データ取得部は、前記電流値又は前記電位の値を少なくとも２つの異なる値に設定して、前記電流値と前記電位の値とを少なくとも２回取得し、
前記補正演算部は、前記印加電圧に対応して前記駆動トランジスタの電流路に流れる電流の電流値が、該駆動トランジスタの閾値電圧及び電流増幅率をパラメータとした値であることに基づいて、前記データ取得部により取得された少なくとも２つの前記電流値と少なくとも２つの前記電位の値より、前記閾値電圧及び前記電流増幅率を取得することを特徴とする請求項９又は１０に記載の表示装置。
【請求項１２】
前記補正演算部により取得される前記閾値電圧及び前記電流増幅率を記憶する補正データ記憶部を備え、
前記補正演算部は、取得した前記閾値電圧及び前記電流増幅率の値を前記補正データ記憶部に記憶させた後のタイミングにおいて、前記補正データ記憶部に記憶された前記電流増幅率の値と、前記データ取得部による１回の前記取得による１つの前記電流値と前記電位の値に基づいて前記閾値電圧を再度取得して、前記補正データ記憶部に記憶された前記閾値電圧の値を更新することを特徴とする請求項９乃至１１のいずれか１項に記載の表示装置。
【請求項１３】
前記データ取得部は、前複数の信号線の各々に予め設定された電流値の電流を供給する複数の定電流源を有する電流源部と、前記複数の信号線の各々の他端の電位を測定する複数の電圧計を有する電圧測定部と、を備え、
前記電圧測定部は、前記電流源部から供給する前記電流の電流値を予め設定された値に設定したときの前記信号線の他端の電位の値を測定することを特徴とする請求項９乃至１２のいずれか１項に記載の表示装置。
【請求項１４】
前記データ取得部は、前記複数の信号線の各々の他端に予め設定された電圧値の電圧を供給する少なくとも１つの定電圧源を有する電圧源部と、前記複数の信号線の各々に流れる電流の電流値を測定する複数の電流計を有する電流測定部と、を備え、
前記電流測定部は、前記電圧源部から供給する前記電圧の電圧値を予め設定された値に設定したときの前記各信号線に流れる電流の電流値を測定することを特徴とする請求項９乃至１２のいずれか１項に記載の表示装置。
【請求項１５】
電流制御型の発光素子と該発光素子に供給する電流を制御する駆動トランジスタを有する画素駆動回路とを備える表示画素を、一端が前記駆動トランジスタの電流路の一端に電気的に接続される信号線を介して駆動する表示装置の駆動制御方法であって、
前記信号線を介して前記駆動トランジスタの電流路に電流が流れるときの、前記電流の電流値と前記信号線の他端の電位の値とを取得するステップと、
前記取得された前記電流値と前記電位の値に基づいて、前記駆動トランジスタの閾値電圧及び電流増幅率を取得するステップと、
を含むことを特徴とする表示装置の駆動制御方法。
【請求項１６】
前記電流の電流値と前記信号線の他端の電位の値とを取得するステップは、前記電流値又は前記電位の値を少なくとも２つの異なる値に設定して、前記電流値と前記電位の値とを少なくとも２回取得するステップを含み、
前記閾値電圧及び前記電流増幅率を取得するステップは、前記印加電圧に対応して前記駆動トランジスタの電流路に流れる電流の電流値が、該駆動トランジスタの閾値電圧及び電流増幅率をパラメータとした値であることに基づいて、前記取得された少なくとも２つの前記電流値と少なくとも２つの前記印加電圧の値より、前記閾値電圧及び前記電流増幅率を取得するステップを含むことを特徴とする請求項１５に記載の表示装置の駆動制御方法。
【請求項１７】
前記電流の電流値と前記信号線の他端の電位の値とを取得するステップは、第１のタイミングにおいて、前記電流値又は前記電位の値を少なくとも２つの異なる値に設定して、前記電流値と前記電位の値とを少なくとも２回取得するステップと、前記第１のタイミングより後の第２のタイミングにおいて、前記電流値と前記電位の値とを１回取得するステップを含み、
前記閾値電圧及び前記電流増幅率を取得するステップは、
前記第１のタイミングにおいて前記電流値と前記電位の値とを少なくとも２回取得するステップによって取得された少なくとも２つの前記電流値と少なくとも２つの前記印加電圧の値に基づいて取得した前記閾値電圧及び前記電流増幅率の値を記憶するステップと、
前記第１のタイミングにおいて記憶された前記電流増幅率の値と、前記第２のタイミングにおいて取得された前記電流の電流値と前記信号線の他端の電位の値と、に基づいて前記閾値電圧を再度取得して、前記閾値電圧の値を更新するステップと、
を含むことを特徴とする請求項１５に記載の表示装置の駆動制御方法。
【請求項１８】
供給された電流の電流値に対応する輝度で画像を表示する表示素子と、
制御端を有し、前記制御端に制御電圧が書き込まれて、前記制御電圧に対応する電流値の電流を前記表示素子に供給する駆動トランジスタと、
前記駆動トランジスタの電流上流端から電流下流端に電流を流し、前記駆動トランジスタに流れた電流、及び前記電流上流端と前記電流下流端との間の印加電圧を複数回測定する測定部と、
表示データの補正用データとして、前記駆動トランジスタの電流増幅率及び閾値電圧を、前記測定部が複数回の測定によって取得した電流の複数の電流値と複数の前記印加電圧とに基づいて取得する補正用データ取得部と、
前記補正用データ取得部が取得した前記補正用データに基づいて、供給された前記表示データを補正し、前記駆動トランジスタの制御電圧に対応する電圧データを取得する補正部と、
前記補正部が取得した電圧データに基づいて前記制御電圧を生成し、前記駆動トランジスタの制御端に書き込む書き込み部と、を備えた、
ことを特徴とする表示装置。
【請求項１９】
前記補正用データ取得部は、前記測定部の複数回の測定によって取得された複数の電流値とを式（１），（２）に代入することによって前記駆動トランジスタのβ、及び閾値電圧を、前記補正用データとして取得する、
ことを特徴とする請求項１８に記載の表示装置。
【数１】
2010085498.tif 000012
・・・（１）
【数２】
2010085498.tif 000013
・・・（２）
【発明の詳細な説明】
【技術分野】
【０００１】
本発明は、表示駆動装置及び表示装置、並びに表示装置の駆動制御方法に関するものである。
【背景技術】
【０００２】
有機ＥＬ（Organic Electro-Luminescence；有機エレクトロルミネッセンス）素子は電場を加えることによって励起する蛍光性の有機化合物に直流電圧をかけて発光させるものであり、このような自発光素子は次世代ディスプレイデバイスとして注目されており、画素として、この有機ＥＬ素子等の発光素子を行列配置して構成された表示装置がある（例えば、特許文献１参照）。
【０００３】
この有機ＥＬ素子は、電流駆動素子であり、流れる電流に比例した輝度で発光する。このような有機ＥＬ素子を備えた表示装置は、各画素に、電界効果トランジスタ（薄膜トランジスタ）によって構成された駆動トランジスタを備え、駆動トランジスタは、有機ＥＬ素子に供給する電流の電流値をゲートに印加された電圧に応じて制御する。
【０００４】
各画素において、駆動トランジスタのゲート−ソース間にはキャパシタが接続され、このキャパシタに、外部から供給された映像信号に対応する電圧が書き込まれ、キャパシタは、この電圧を保持する。
【０００５】
そして、駆動トランジスタは、ドレイン−ソース間に電圧が印加されると、キャパシタが保持した電圧をゲート−ソース間電圧（以後、「ゲート電圧」と記す。）Ｖgsとして、このゲート電圧Ｖgsで電流値を制御しつつ、有機ＥＬ素子に電流を供給する。
【０００６】
駆動トランジスタより有機ＥＬ素子に供給される電流の電流値は、ゲート電圧Ｖgsの値と、当該駆動トランジスタの特性値（閾値電圧Ｖthや電流増幅率β）に応じて決まる。ここで、閾値電圧Ｖthは画素の駆動履歴により変動することが知られており、閾値電圧Ｖthが変動すると、ゲート電圧Ｖgsが同じでも有機ＥＬ素子の発光輝度が変動してしまい、そのために表示画質が低下する。
【０００７】
このため、有機ＥＬ素子等の発光素子を画素に有する表示装置において、各画素の閾値電圧Ｖthの値を求め、求めた閾値電圧Ｖthの値に基づいて、映像信号に対応して駆動トランジスタのゲート−ソース間に印加する電圧の電圧値を補正して、表示画質の向上を図るようにした表示装置の開発が進められている。
【０００８】
【特許文献１】特開２００３−２７１０９５号公報（第５頁、図１）
【発明の開示】
【発明が解決しようとする課題】
【０００９】
しかし、電流増幅率βも例えば製造プロセス要因により画素間でばらつきが生じることがある。電流増幅率βが画素間でばらついていると、各画素の閾値電圧Ｖthの値を求めて駆動トランジスタのゲート−ソース間に印加する電圧の電圧値を補正したとしても、電流増幅率βの画素間のばらつきに起因する表示画質の低下は解消されない。
【００１０】
本発明は、このような従来の問題点に鑑みてなされたもので、各画素の閾値電圧の変動及び各画素の電流増幅率のばらつきによる表示画質の低下を抑制することが可能な表示駆動装置及び表示装置、並びに表示装置の駆動制御方法を提供することを目的とする。
【課題を解決するための手段】
【００１１】
この目的を達成するため、本発明の第１の観点に係る表示駆動装置は、
電流制御型の発光素子と該発光素子に供給する電流を制御する駆動トランジスタを有する画素駆動回路とを備える表示画素を、一端が前記駆動トランジスタの電流路の一端に電気的に接続される信号線を介して駆動する表示駆動装置であって、
前記信号線を介して前記駆動トランジスタの電流路に電流が流れるときの、前記電流の電流値と前記信号線の他端の電位の値とを取得するデータ取得部と、
前記データ取得部によって取得された前記電流値と前記電位の値とに基づいて、前記駆動トランジスタの閾値電圧及び電流増幅率を取得する補正演算部と、を備えることを特徴とする。
【００１２】
前記補正演算部は、前記信号線の他端の電位と前記駆動トランジスタの電流路の他端側の電位との差分による印加電圧の電圧値と、前記信号線に流れる電流の電流値と、に基づいて、前記閾値電圧及び前記電流増幅率を取得するようにしてもよい。
【００１３】
前記データ取得部は、前記電流値又は前記電位の値を少なくとも２つの異なる値に設定して、前記電流値と前記電位の値とを少なくとも２回取得し、
前記補正演算部は、前記印加電圧に対応して前記駆動トランジスタの電流路に流れる電流の電流値が、該駆動トランジスタの閾値電圧及び電流増幅率をパラメータとした値であることに基づいて、前記データ取得部により取得された少なくとも２つの前記電流値と少なくとも２つの前記印加電圧の値より、前記閾値電圧及び前記電流増幅率を取得するようにしてもよい。
【００１４】
前記補正演算部により取得される前記閾値電圧及び前記電流増幅率を記憶する補正データ記憶部を備え、
前記補正演算部は、取得した前記閾値電圧及び前記電流増幅率の値を前記補正データ記憶部に記憶させた後のタイミングにおいて、前記補正データ記憶部に記憶された前記電流増幅率の値と、前記データ取得部による１回の前記取得による１つの前記電流値と前記電位の値に基づいて前記閾値電圧を再度取得して、前記補正データ記憶部に記憶された前記閾値電圧の値を更新するようにしてもよい。
【００１５】
前記補正演算部は、外部から供給される表示データを、前記補正データ記憶部に記憶された前記閾値電圧及び前記電流増幅率に基づいて補正した階調信号を生成し、
前記階調信号に対応した電圧値を有する電圧信号を前記信号線の他端に印加するデータ出力部を備えるようにしてもよい。
【００１６】
前記補正演算部は、前記階調信号を、前記表示データの階調値に対する前記表示画素の前記発光素子の発光輝度が予め設定されたガンマ特性を示す値に設定するようにしてもよい。
【００１７】
前記データ取得部は、前記信号線に予め設定された電流値の電流を供給する定電流源を有する電流源部と、前記信号線の他端の電位を測定する電圧計を有する電圧測定部と、を備え、
前記電圧測定部は、前記電流源部から供給する前記電流の電流値を予め設定された値に設定したときの前記信号線の他端の電位の値を測定するようにしてもよい。
【００１８】
前記データ取得部は、前記信号線の他端に予め設定された電圧値の電圧を供給する定電圧源を有する電圧源部と、前記信号線に流れる電流の電流値を測定する電流計を有する電流測定部と、を備え、
前記電流測定部は、前記電圧源部から供給する前記電圧の電圧値を予め設定された値に設定したときの前記信号線に流れる電流の電流値を測定するようにしてもよい。
【００１９】
本発明の第２の観点に係る表示装置は、
表示データに応じた画像情報を表示する表示装置であって、
電流制御型の発光素子と該発光素子に供給する電流を制御する駆動トランジスタを有する画素駆動回路とを備える複数の表示画素と、
一端が前記複数の表示画素の各々の前記駆動トランジスタの電流路の一端に電気的に接続される複数の信号線と、
前記複数の信号線の各々を介して前記駆動トランジスタの電流路に電流が流れるときの、前記電流の電流値と前記各信号線の他端の電位の値とを取得するデータ取得部と、
前記データ取得部によって取得された前記電流値と前記電位の値に基づいて、前記複数の表示画素の各々の前記駆動トランジスタの閾値電圧及び電流増幅率を取得し、前記表示データを取得された前記閾値電圧及び前記電流増幅率に基づいて補正した階調信号を生成する補正演算部と、
前記階調信号に対応した電圧値を有する電圧信号を前記各信号線の他端に印加するデータ出力部と、を備えることを特徴とする。
【００２０】
前記補正演算部は、前記階調信号を、前記表示データの階調値に対する前記各表示画素の前記発光素子の発光輝度が予め設定されたガンマ特性を示す値に設定するようにしてもよい。
【００２１】
前記データ取得部は、前記電流値又は前記電位の値を少なくとも２つの異なる値に設定して、前記電流値と前記電位の値とを少なくとも２回取得し、
前記補正演算部は、前記印加電圧に対応して前記駆動トランジスタの電流路に流れる電流の電流値が、該駆動トランジスタの閾値電圧及び電流増幅率をパラメータとした値であることに基づいて、前記データ取得部により取得された少なくとも２つの前記電流値と少なくとも２つの前記電位の値より、前記閾値電圧及び前記電流増幅率を取得するようにしてもよい。
【００２２】
前記補正演算部により取得される前記閾値電圧及び前記電流増幅率を記憶する補正データ記憶部を備え、
前記補正演算部は、取得した前記閾値電圧及び前記電流増幅率の値を前記補正データ記憶部に記憶させた後のタイミングにおいて、前記補正データ記憶部に記憶された前記電流増幅率の値と、前記データ取得部による１回の前記取得による１つの前記電流値と前記電位の値に基づいて前記閾値電圧を再度取得して、前記補正データ記憶部に記憶された前記閾値電圧の値を更新するようにしてもよい。
【００２３】
前記データ取得部は、前複数の信号線の各々に予め設定された電流値の電流を供給する複数の定電流源を有する電流源部と、前記複数の信号線の各々の他端の電位を測定する複数の電圧計を有する電圧測定部と、を備え、
前記電圧測定部は、前記電流源部から供給する前記電流の電流値を予め設定された値に設定したときの前記信号線の他端の電位の値を測定するようにしてもよい。
【００２４】
前記データ取得部は、前記複数の信号線の各々の他端に予め設定された電圧値の電圧を供給する少なくとも１つの定電圧源を有する電圧源部と、前記複数の信号線の各々に流れる電流の電流値を測定する複数の電流計を有する電流測定部と、を備え、
前記電流測定部は、前記電圧源部から供給する前記電圧の電圧値を予め設定された値に設定したときの前記各信号線に流れる電流の電流値を測定するようにしてもよい。
【００２５】
本発明の第３の観点に係る表示装置の駆動制御方法は、
電流制御型の発光素子と該発光素子に供給する電流を制御する駆動トランジスタを有する画素駆動回路とを備える表示画素を、一端が前記駆動トランジスタの電流路の一端に電気的に接続される信号線を介して駆動する表示装置の駆動制御方法であって、
前記信号線を介して前記駆動トランジスタの電流路に電流が流れるときの、前記電流の電流値と前記信号線の他端の電位の値とを取得するステップと、
前記取得された前記電流値と前記電位の値に基づいて、前記駆動トランジスタの閾値電圧及び電流増幅率を取得するステップと、を含むことを特徴とする。
【００２６】
前記電流の電流値と前記信号線の他端の電位の値とを取得するステップは、前記電流値又は前記電位の値を少なくとも２つの異なる値に設定して、前記電流値と前記電位の値とを少なくとも２回取得するステップを含み、
前記閾値電圧及び前記電流増幅率を取得するステップは、前記印加電圧に対応して前記駆動トランジスタの電流路に流れる電流の電流値が、該駆動トランジスタの閾値電圧及び電流増幅率をパラメータとした値であることに基づいて、前記取得された少なくとも２つの前記電流値と少なくとも２つの前記印加電圧の値より、前記閾値電圧及び前記電流増幅率を取得するステップを含むようにしてもよい。
【００２７】
前記電流の電流値と前記信号線の他端の電位の値とを取得するステップは、第１のタイミングにおいて、前記電流値又は前記電位の値を少なくとも２つの異なる値に設定して、前記電流値と前記電位の値とを少なくとも２回取得するステップと、前記第１のタイミングより後の第２のタイミングにおいて、前記電流値と前記電位の値とを１回取得するステップを含み、
前記閾値電圧及び前記電流増幅率を取得するステップは、
前記第１のタイミングにおいて前記電流値と前記電位の値とを少なくとも２回取得するステップによって取得された少なくとも２つの前記電流値と少なくとも２つの前記印加電圧の値に基づいて取得した前記閾値電圧及び前記電流増幅率の値を記憶するステップと、
前記第１のタイミングにおいて記憶された前記電流増幅率の値と、前記第２のタイミングにおいて取得された前記電流の電流値と前記信号線の他端の電位の値と、に基づいて前記閾値電圧を再度取得して、前記閾値電圧の値を更新するステップと、を含むようにしてもよい。
【００２８】
本発明の第４の観点に係る表示装置は、
供給された電流の電流値に対応する輝度で画像を表示する表示素子と、
制御端を有し、前記制御端に制御電圧が書き込まれて、前記制御電圧に対応する電流値の電流を前記表示素子に供給する駆動トランジスタと、
前記駆動トランジスタの電流上流端から電流下流端に電流を流し、前記駆動トランジスタに流れた電流、及び前記電流上流端と前記電流下流端との間の印加電圧を複数回測定する測定部と、
表示データの補正用データとして、前記駆動トランジスタの電流増幅率及び閾値電圧を、前記測定部が複数回の測定によって取得した電流の複数の電流値と複数の前記印加電圧とに基づいて取得する補正用データ取得部と、
前記補正用データ取得部が取得した前記補正用データに基づいて、供給された前記表示データを補正し、前記駆動トランジスタの制御電圧に対応する電圧データを取得する補正部と、
前記補正部が取得した電圧データに基づいて前記制御電圧を生成し、前記駆動トランジスタの制御端に書き込む書き込み部と、を備えたことを特徴とする。
【００２９】
前記補正用データ取得部は、前記測定部の複数回の測定によって取得された複数の電流値とを式（１），（２）に代入することによって前記駆動トランジスタのβ、及び閾値電圧を、前記補正用データとして取得するようにしてもよい。
【数１】
2010085498.tif 000003
・・・（１）
【数２】
2010085498.tif 000004
・・・（２）
【発明の効果】
【００３０】
本発明によれば、各画素の閾値電圧の変動及び各画素の電流増幅率のばらつきによる表示画質の低下を抑制することができる。
【発明を実施するための最良の形態】
【００３１】
以下、本発明の実施形態に係る表示装置を図面を参照して説明する。
本実施形態に係る表示装置の構成を図１に示す。
本実施形態に係る表示装置１は、ＴＦＴパネル１１と、表示信号生成回路１２と、システムコントローラ１３と、セレクトドライバ１４と、電源ドライバ１５と、データドライバ１６と、によって構成される。
【００３２】
ＴＦＴパネル１１は、複数の画素１１(i,j)（ｉ＝１〜ｍ、ｊ＝１〜ｎ、ｍ、ｎ；自然数）を備えたものである。
【００３３】
各画素１１(i,j)は、それぞれ、画像の１画素に対応する表示画素であり、行列配置される。各画素１１(i,j)は、図２に示すように、有機ＥＬ素子１１１と、トランジスタＴ１〜Ｔ３と、キャパシタＣ１と、を備える。ここで、トランジスタＴ１〜Ｔ３と、キャパシタＣ１と、は画素駆動回路ＤＣをなす。
【００３４】
有機ＥＬ素子１１１は、有機化合物に注入された電子と正孔との再結合によって生じた励起子によって発光する現象を利用して発光する電流制御型の発光素子（表示素子）であり、供給された電流の電流値に対応する輝度で発光し、画像を表示する。
【００３５】
有機ＥＬ素子１１１には、画素電極が形成され、この画素電極上に、正孔注入層と発光層と対向電極とが形成される（いずれも図示せず）。正孔注入層は、画素電極上に形成され、発光層に正孔を供給する機能を有する。
【００３６】
画素電極は、透光性を備える導電材料、例えばＩＴＯ（Indium Tin Oxide）、ＺｎＯ等から構成される。各画素電極は隣接する他の画素の画素電極と層間絶縁膜（図示せず）によって絶縁されている。
【００３７】
正孔注入層は正孔（ホール）注入、輸送が可能な有機高分子系の材料から構成される。また、有機高分子系のホール注入・輸送材料を含む有機化合物含有液としては、例えば導電性ポリマーであるポリエチレンジオキシチオフェン（ＰＥＤＯＴ）とドーパントであるポリスチレンスルホン酸（ＰＳＳ）を水系溶媒に分散させた分散液であるＰＥＤＯＴ／ＰＳＳ水溶液が用いられる。
【００３８】
発光層は、インターレイヤ（図示せず）上に形成される。発光層は、アノード電極とカソード電極との間に所定の電圧を印加することにより光を発生する機能を有する。
【００３９】
発光層は、蛍光あるいは燐光を発光することが可能な公知の高分子発光材料、例えばポリパラフェニレンビニレン系やポリフルオレン系等の共役二重結合ポリマーを含む赤（Ｒ）、緑（Ｇ）、青（Ｂ）色の発光材料から構成される。
【００４０】
また、これらの発光材料は、適宜水系溶媒あるいはテトラリン、テトラメチルベンゼン、メシチレン、キシレン等の有機溶媒に溶解（又は分散）した溶液（分散液）をノズルコート法やインクジェット法等により塗布し、溶媒を揮発させることによって形成される。
【００４１】
対向電極は、導電材料、例えばＣａ，Ｂａ等仕事関数の低い材料からなる層と、Ａｌ等の光反射性導電層と、からなる２層構造になっている。
【００４２】
電流は、画素電極から対極電極方向へと流れ、逆方向には流れず、画素電極、対極電極は、それぞれ、アノード電極、カソード電極となる。このカソード電極には、カソード電圧Ｖcathが印加される。
【００４３】
画素駆動回路ＤＣにおけるトランジスタＴ１〜Ｔ３は、ｎチャンネル型のＦＥＴ（Field Effect Transistor；電界効果トランジスタ）によって構成されたＴＦＴであり、例えば、アモルファスシリコン又はポリシリコンＴＦＴによって構成されている。
【００４４】
トランジスタＴ３は、有機ＥＬ素子１１１に供給する電流の、電流値を制御する駆動トランジスタである。トランジスタＴ３の電流路の上流端としてのドレインは、電圧ラインＬv(j)に接続され、電流路の下流端としてのソースは有機ＥＬ素子１１１のアノードに接続される。そして、トランジスタＴ３は、制御電圧としてのゲート電圧Ｖgsに対応する電流値の電流を有機ＥＬ素子１１１に供給する。
【００４５】
トランジスタＴ１は、トランジスタＴ３のゲートとドレイン間を接続又は遮断するためのスイッチトランジスタである。
【００４６】
各画素１１(i,j)のトランジスタＴ１のドレイン（端子）は、電圧ラインＬv(j)（トランジスタＴ３のドレイン）に接続され、ソースは、トランジスタＴ３の制御端としてのゲートに接続される。
【００４７】
各画素１１(1,1)〜１１(m,1)のトランジスタＴ１のゲート（端子）は、セレクトラインＬs(1)に接続される。同様に、各画素１１(1,2)〜１１(m,2)のトランジスタＴ１のゲートは、セレクトラインＬs(2)に、・・・、各画素１１(1,n)〜１１(m,n)のトランジスタＴ１のゲートは、セレクトラインＬs(n)に、それぞれ、接続される。
【００４８】
画素１１(1,1)の場合、セレクトドライバ１４からセレクトラインＬs(1)にＨｉ（High；ハイ）レベルの信号が出力されると、トランジスタＴ１はオンし、トランジスタＴ３はゲートとドレインが接続されて、ダイオード接続状態となる。
【００４９】
セレクトラインＬs(1)にＬｏ（Low；ロー）レベルの信号が出力されると、トランジスタＴ１は、オフする。
【００５０】
トランジスタＴ２は、セレクトドライバ１４によって選択されてオン、オフし、トランジスタＴ３のソース及び有機ＥＬ素子１１１のアノードと、データドライバ１６と、の間を導通、遮断するためのスイッチトランジスタである。
【００５１】
各画素１１(i,j)のトランジスタＴ２のドレインは、有機ＥＬ素子１１１のアノード（電極）に接続される。
【００５２】
各画素１１(1,1)〜１１(m,1)のトランジスタＴ２のゲートは、セレクトラインＬs(1)に接続される。同様に、各画素１１(2,1)〜１１(m,2)のトランジスタＴ２のゲートは、セレクトラインＬs(2)に、・・・、各画素１１(1,n)〜１１(m,n)のトランジスタＴ２のゲートは、セレクトラインＬs(n)に接続される。
【００５３】
また、各画素１１(1,1)〜１１(1,n)のトランジスタＴ２の他端としてのソースは、信号線としてのデータラインＬd(１)に接続される。同様に、各画素１１(2,1)〜１１(2,n)のトランジスタＴ２のソースは、データラインＬd(2)に、・・・、各画素１１(m,1)〜１１(m,n)のトランジスタＴ２のソースは、データラインＬd(m)に接続される。
【００５４】
画素１１(1,1)の場合、トランジスタＴ２は、セレクトドライバ１４から、セレクトラインＬs(1)にＨｉレベルの信号が出力されるとオンして有機ＥＬ素子１１１のアノードとデータラインＬd(1)とを接続する。
【００５５】
また、セレクトラインＬs(1)にＬｏレベルの信号が出力されると、トランジスタＴ２はオフして有機ＥＬ素子１１１のアノードとデータラインＬd(1)とを遮断する。
【００５６】
キャパシタＣ１は、トランジスタＴ３のゲートＶgsを保持する容量成分であり、その一端は、トランジスタＴ１のソースとトランジスタＴ３のゲートとに接続され、他端はトランジスタＴ３のソースと有機ＥＬ素子１１１のアノードとに接続される。
【００５７】
キャパシタＣ１は、電圧ラインＬv(j)からトランジスタＴ２のドレインに向けてドレイン電流Ｉdが流れるとき、トランジスタＴ３はオン状態となり、対応するトランジスタＴ３のゲート電圧Ｖgsで充電され、その電荷が蓄積される。
【００５８】
トランジスタＴ１及びＴ２がオフすると、キャパシタＣ１は、トランジスタＴ３のゲート電圧Ｖgsを保持する。
【００５９】
図１に戻り、表示信号生成回路１２は、例えば、コンポジット映像信号、コンポーネント映像信号のような映像信号Imageが外部から供給され、供給された映像信号Imageから輝度信号のような表示データＰic、同期信号Ｓyncを取得するものである。表示信号生成回路１２は、取得した表示データＰic、同期信号Ｓyncをシステムコントローラ１３に供給する。
【００６０】
システムコントローラ１３は、表示データＰicの補正処理、書き込み動作、発光動作を制御するものである。また、電源ドライバ１５は電圧ラインＬv(j)に所定の電圧値を有する電圧Ｖsource(j)を印加するものである。
【００６１】
表示データＰicの補正処理は、表示信号生成回路１２から供給された表示データＰicを各画素１１(i,j)の駆動トランジスタ（トランジスタＴ３）の閾値電圧Ｖthや電流増幅率βの値に基づいて補正した階調信号を生成する処理である。
【００６２】
また、書き込み動作は、各画素１１(i,j)のキャパシタＣ１に生成された階調信号に応じた電圧を書き込む動作であり、発光動作は、キャパシタＣ１に保持された電圧に応じた電流を有機ＥＬ素子１１１に供給して、有機ＥＬ素子１１１を発光させる動作である。
【００６３】
上記書き込み動作においては、詳しくは後述するように、セレクトラインＬs(j)にＨｉレベルの信号が出力されてトランジスタＴ３がダイオード接続状態になっている状態で、電圧ラインＬv(j)にカソード電圧Ｖcathと同電位の電圧Ｖsource(j)が印加され、データラインＬd(i)に電圧信号Ｖsigが印加される。
【００６４】
このとき、トランジスタＴ３のドレイン・ソース間に流れるドレイン電流は、トランジスタＴ３の閾値電圧をＶth、電流増幅率をβとしたとき、次式（３）で表される。
【数３】
2010085498.tif 000005
・・・（３）
【００６５】
図３は、書き込み動作時のトランジスタＴ３のゲート・ソース間（＝ドレイン・ソース間）に印加される電圧信号Ｖsigに対するドレイン電流Ｉｄの変化を示す。
【００６６】
トランジスタＴ３のソース・ドレイン間には、上記式（３）に応じたドレイン電流Ｉｄが流れる。ここで、図３に示すＶＩ_0は、閾値電圧Ｖthが、例えば工場出荷時等の、トランジスタＴ３が初期の特性を有しているときの初期値Ｖth0を有し、βが標準値β0を有しているときの電圧−電流特性を示し，特性ＶＩ_1は、閾値電圧Ｖthが初期値Ｖth0からΔＶthだけ増加したときの電圧−電流特性を示し、特性ＶＩ_2はβが標準値β0よりΔβだけ大きいときの電圧−電流特性を示し、特性ＶＩ_2はβが標準値β0よりΔβだけ小さいときの電圧−電流特性を示す。
【００６７】
各画素１１(i,j)のトランジスタＴ３は、特にアモルファスシリコンＴＦＴからなる場合、ドレイン電流Ｉｄが流れることによる特性の経時的な変動が比較的大きく、閾値電圧Ｖthがは経時的に徐々にシフト（増加）する。
【００６８】
閾値電圧ＶthがΔＶthだけシフトすると、トランジスタＴ３の電圧−電流特性ＶＩ_0は、特性ＶＩ_1に変化する。
【００６９】
また、電流増幅率βは、経時的な変化は無いが、例えば製造プロセス要因により、画素１１(i,j)毎にばらつく。この電流増幅率βが標準値β0よりΔβだけ大きい値（β0＋Δβ）であるとき、トランジスタＴ３の電圧−電流特性は特性ＶＩ_2になり、電流増幅率βが標準値β0よりΔβだけ小さい値（β0−Δβ）であるとき、トランジスタＴ３の電圧−電流特性は特性ＶＩ_3になる。
【００７０】
式（３）に示すようにドレイン電流Ｉｄの値は、電圧信号Ｖsigの値を設定したとき、変数は閾値電圧Ｖthとβとの２つである。これらの２つの変数の値は、式（３）に基づいて、例えば、異なる電圧値の電圧信号Ｖsigに対する、ドレイン電流Ｉｄの電流値の測定を、電圧信号Ｖsigの電圧値を異ならせて、少なくとも２回行うことによって求めることができる。
【００７１】
あるいは、定電流源よりドレイン電流Ｉｄを各データラインＬd(1)〜Ｌd(m)に供給して、そのときの各データラインＬd(1)〜Ｌd(m)の電圧値を測定する動作を、供給するドレイン電流Ｉｄの電流値を異ならせて、少なくとも２回行うことによっても求めることができる。
【００７２】
上記の２回の測定における電圧信号Ｖsigの電圧値をＶ１，Ｖ２、電圧信号Ｖsigの電圧値Ｖ１，Ｖ２に対応するドレイン電流Ｉｄの値をid1，id2とすると、β、閾値電圧Ｖthは、それぞれ、式（４），（５）によって表される。
【数４】
2010085498.tif 000006
・・・（４）
【数５】
2010085498.tif 000007
・・・（５）
【００７３】
尚、βのばらつきは、経時変化しないものと考えられるため、例えば実使用時前の工場出荷時等に一度βを決定すれば、通常、再度、βを求める必要はない。但し、必要に応じて、実使用時の任意のタイミングで、再度、βの測定を行ってもよい。
【００７４】
一方、閾値電圧Ｖthは、経時的な変化があるため、例えば、表示装置１の実使用時の起動時や映像を表示する毎に、あるいは、定期的等のタイミングで測定を行う必要がある。
【００７５】
このため、工場出荷時等に、上記の測定を２回行ってβと閾値電圧Ｖthとを求め、あとは、実使用時に上記タイミングで上記の測定を１回だけ行えば、βの値は分かっているため、その時点での閾値電圧Ｖthを求めることができる。
【００７６】
次に、一般的なディスプレイ特性について説明する。ディスプレイ特性は、ディスプレイの輝度をＬ、ディスプレイに供給される入力信号強度をＳｉｇとしたとき、人の視覚特性に合わせて、輝度Ｌが入力信号強度Ｓｉｇに比例する特性ではなく、入力信号強度Ｓｉｇのγ乗（γ＞１）としたガンマ特性を有している特性が好ましいとされる。このγはガンマ値と呼ばれ、例えばγ＝２である。これは次の式（６）によって表される、
【数６】
2010085498.tif 000008
・・・（６）
【００７７】
有機ＥＬ素子１１１を用いた表示装置１がこのガンマ特性（γ＝２）を有しているようにする場合、ディスプレイの輝度は、有機ＥＬ素子１１１の発光輝度に対応し、これは有機ＥＬ素子１１１に流れる電流の電流値Ｉelに比例することから、入力信号を表示データＰicの階調値に対応した電圧値を有する信号Ｖcodeとしたとき、有機ＥＬ素子１１１に流れる電流の電流値Ｉelと信号Ｖcodeとが次の式（７）の関係にあることが必要となる。ここで、βmは比例係数としてのゲインである。
【数７】
2010085498.tif 000009
・・・（７）
【００７８】
一方、上述のように、本実施形態の各画素１１(i,j)において、発光動作時に有機ＥＬ素子１１１に流れる電流は、書き込み動作時にトランジスタＴ３に流れるドレイン電流Ｉｄに等しく、このドレイン電流ＩｄはデータラインＬd(i)に印加される電圧信号Ｖsigに対して、上記式（３）の関係を有している。
【００７９】
そして、式（３）のドレイン電流Ｉｄと式（６）の有機ＥＬ素子１１１に流れる電流Ｉelとが等しいことから、電圧信号Ｖsigと信号Ｖcodeとの関係として、次の式（８）が導かれる。
【数８】
2010085498.tif 000010
・・・（８）
【００８０】
この式（８）に従って、電圧信号Ｖsigを補正すれば、閾値電圧Ｖth及びβに対する補償を行うとともに、式（６）に示す所望のディスプレイ特性を得ることができる。
【００８１】
このような補正を行うため、システムコントローラ１３は、図４に示すように、補正データ記憶部１３１と、補正演算部１３２と、補正制御部１３３と、を備える。
【００８２】
補正データ記憶部１３１は、表示信号生成回路１２から供給された表示データＰicと補正に関するデータとを記憶するものである。システムコントローラ１３は、表示信号生成回路１２から表示データＰicが供給されると、各画素１１(i,j)の表示データＰicを、この補正データ記憶部１３１に記憶する。
【００８３】
補正演算部１３２は、各画素１１(i,j)のトランジスタＴ３のβと閾値電圧Ｖthとを補正用データとして取得して、補正データ記憶部１３１から読み出した表示データＰicを補正した階調信号Ｖdata（i）を生成して出力するものである。
【００８４】
データドライバ１６は、上記の閾値電圧Ｖth及びβを求めるための測定方式として、例えば電流供給電圧測定方式に従って構成され、工場出荷時等に、各画素１１(i,j)から各データラインＬd(1) 〜Ｌd(m)を介して、電流値id1の電流i_sink(id1)、電流値id2の電流i_sink(id2)を引き込んで、各データラインＬd(1)〜Ｌd(m)の電位Ｖs(1)〜Ｖs(m)を測定する。
【００８５】
データドライバ１６は、測定した各データラインＬd(1) 〜Ｌd(m)の電位Ｖs(1)〜Ｖs(m)をシステムコントローラ１３に供給する。尚、引き込む電流i_sink(id1)、i_sink(id2)は、トランジスタＴ３のドレイン電流Ｉdとなる。
【００８６】
また、選択された行のトランジスタＴ３から電流i_sink(id1)，i_sink(id2)を引き込んだときに、各データラインＬd(1) 〜Ｌd(m)の電位Ｖs(1)〜Ｖs(m)と各電圧ラインＬv(j)に印加される電圧Ｖsource(j)の電圧との差分が、選択された行のトランジスタＴ３のドレイン・ソース間（＝ゲート・ソース間）に印加される印加電圧に概ね等しい。
【００８７】
この印加電圧は、トランジスタＴ３のドレイン電圧Ｖds（＝ゲート電圧Ｖgs）となり、電流i_sink(id1)，i_sink(id2)を引き込んだときの印加電圧を、それぞれ、電圧Ｖ１(1)〜Ｖ１(m)，Ｖ２(1)〜Ｖ２(m)とする。
【００８８】
補正演算部１３２は、データドライバ１６から供給された各データラインＬd(1)〜Ｌd(m)の電位Ｖs(1)〜Ｖs(m)と信号Ｖsource(j)の電圧との差分からなる電圧Ｖ１(1)〜Ｖ１(m)，Ｖ２(1)〜Ｖ２(m)を求め、id1 及びid2の電流値と、電圧Ｖ１(1)〜Ｖ１(m)，Ｖ２(1)〜Ｖ２(m)とを、補正データ記憶部１３１に記憶する。
【００８９】
各画素１１(i,j)に対応する印加電圧を、それぞれ、Ｖ１，Ｖ２として、補正演算部１３２は、電流値id1、id2と、電圧Ｖ１，Ｖ２とを、それぞれ、式（４），（５）に代入して電流増幅率β、閾値電圧Ｖthを取得する。
【００９０】
補正演算部１３２は、求めたβと閾値電圧Ｖthを、補正に関するデータとして画素１１(i,j)毎に、補正データ記憶部１３１に記憶する。
【００９１】
また、データドライバ１６は、例えば、表示装置１の実使用時の起動時や映像を表示する毎、あるいは、定期的等のタイミングで、各画素１１(i,j)から各データラインＬd(1)〜Ｌd(m)を介して、電流値id3の電流i_sink(id3)を引き込んで、行毎に、画素１１(1,j)〜１１(m,j)の各トランジスタＴ３のソース電位Ｖs(1)〜Ｖs(m)を測定する。
【００９２】
システムコントローラ１３は、データドライバ１６から、電流i_sink(id3)を引き込んだときの各データラインＬd(1)〜Ｌd(m)の電位Ｖs(1)〜Ｖs(m)が行毎に供給される。
【００９３】
補正演算部１３２は、同様に、データドライバ１６から行毎に供給された各データラインＬd(1)〜Ｌd(m)の電位Ｖs(1)〜Ｖs(m)と信号Ｖsource(j)の電圧とに基づいて、電流i_sink(id3)を引き込んだときにトランジスタＴ３ドレイン・ソース間（＝ゲート・ソース間）に印加される電圧Ｖ３(1)〜Ｖ３(m)を求める。画素１１(i,j)毎の印加電圧をＶ３として、閾値電圧Ｖthは、式（３）を変形した次の式（９）によって求められる。
【数９】
2010085498.tif 000011
・・・（９）
補正演算部１３２は、電流値id3と、画素１１(i,j)毎の電圧Ｖ３とを式（９）に代入して、画素１１(i,j)毎にトランジスタＴ３の閾値電圧Ｖthを求める。補正演算部１３２は、取得した閾値電圧Ｖthを補正に関するデータとして補正データ記憶部１３１に記憶して、上記の工場出荷時等に取得されて補正データ記憶部１３１に記憶されていた閾値電圧Ｖthを更新する。
【００９４】
補正演算部１３２は、式（８）に関係するデータを補正データ記憶部１３１から読み出して式（８）に代入することにより、各画素１１(i,j)に対応する表示データＰicを補正した階調信号Ｖdata(i)を生成して出力する。
【００９５】
補正制御部１３３は、表示データＰicの補正処理を制御するものである。システムコントローラ１３は、補正演算部１３２が演算した電圧データＶdataを行毎に読み出し、それぞれ、Ｖdata(1)〜Ｖdata(m)として、順次、データドライバ１６に出力する。
【００９６】
システムコントローラ１３は、このような補正処理を行って、書き込み動作、発光動作を制御する。システムコントローラ１３は、このような制御を行うため、クロック信号ＣＬＫ、スタート信号Ｓp等の各種制御信号を生成してセレクトドライバ１４に垂直制御信号を供給し、電源ドライバ１５に電源制御信号を供給し、データドライバ１６にデータドライバ制御信号を供給する。
【００９７】
尚、外部から映像信号Imageが供給されたとき、システムコントローラ１３は、表示信号生成回路１２から供給された同期信号Ｓyncに、クロック信号ＣＬＫ、スタート信号Ｓp、各種制御信号を同期させる。
【００９８】
スタート信号Ｓpは、動作を開始させるための信号であり、システムコントローラ１３は、このスタート信号Ｓpを、セレクトドライバ１４、電源ドライバ１５、データドライバ１６に出力する。
【００９９】
図１に戻り、セレクトドライバ１４は、ＴＦＴパネル１１の行を、順次、選択するドライバであり、例えば、シフトレジスタによって構成される。セレクトドライバ１４は、それぞれ、セレクトラインＬs(j)（ｊ＝１〜ｎ）を介して各画素１１(i,j)のトランジスタＴ１，Ｔ２のゲートに接続される。
【０１００】
セレクトドライバ１４は、システムコントローラ１３から垂直制御信号として供給される垂直同期信号に同期したスタート信号Ｓp１に同期して動作し、システムコントローラ１３から垂直制御信号として供給されるたクロック信号ＣＬＫ１に従い、順次、第１行目の画素１１(1,1)〜１１(m,1)、・・・、第ｎ行目の画素１１(1,n)〜１１(m,n)に、Ｈｉレベルのセレクト信号Ｖselect(j)を出力することにより、ＴＦＴパネル１１の行を、順次、選択する。
【０１０１】
電源ドライバ１５は、電圧ラインＬv(1)〜Ｌv(n)に、それぞれ、電圧VL又はVHの信号Ｖsource(1)〜Ｖsource(n)を出力するドライバである。電源ドライバ１５は、それぞれ、電圧ラインＬv(j)（ｊ＝１〜ｎ）を介して、各画素１１(i,j)のトランジスタＴ３のドレインに接続される。
【０１０２】
電源ドライバ１５は、システムコントローラ１３から電源制御信号として供給される垂直同期信号に同期したスタート信号Ｓp２に同期して、システムコントローラ１３から電源制御信号として供給されるたクロック信号ＣＬＫ２に従って動作する。
【０１０３】
システムシステムコントローラ１３は、電源制御信号として、電圧制御信号Ｃv(L)，Ｃv(H)を生成する。電圧制御信号Ｃv(L)，Ｃv(H)は、それぞれ、電源ドライバ１５が出力する信号Ｖsource(1)〜Ｖsource(n)の電圧をVL，VHに制御する信号である。
【０１０４】
尚、本実施形態では、有機ＥＬ素子１１１のカソード電圧Ｖcathが０Ｖに設定され、電圧VLも０Ｖに設定されるものとする。また、電圧VHは、例えば、＋１５Ｖに設定されるものとする。
【０１０５】
システムコントローラ１３は、補正処理時、書き込み動作時に電圧制御信号Ｃv(L)を電源ドライバ１５に供給し、発光動作時に電圧制御信号Ｃv(H)を電源ドライバ１５に供給する。
【０１０６】
データドライバ１６は、電流i_sink(id1)，i_sink(id2)，i_sink(id3)を引き込んだときの各データラインＬd(1)〜Ｌd(m)の電位Ｖsを取得するとともに、各データラインＬd(1)〜Ｌd(m)に電圧信号Ｓv(1)〜Ｓv(m)を印加するドライバである。
【０１０７】
データドライバ１６は、図５に示すように、電流源部１６１と、電圧測定部１６２と、データ出力部１６３と、スイッチＳw1(i)，Ｓw2(i)と、を備える。
【０１０８】
電流源部１６１は、データラインＬd(1)〜Ｌd(m)毎に電流源１６１ａ(1)〜１６１ａ(m)を備えたものである。電流源１６１ａ(i)（ｉ＝１〜ｍ）は、データラインＬd(i)から電流i_sinkを引き込むためのものである。
【０１０９】
電流源１６１ａ(i)の電流下流端は電位Ｖssに設定される。本実施形態では、この電位Ｖssは、有機ＥＬ素子１１１のカソード電圧Ｖcath（＝０Ｖ）と同じ電位に設定される。
【０１１０】
システムコントローラ１３は、データドライバ制御信号として、電流制御信号Ｃi(1)，Ｃi(2)，Ｃi(3)を生成してデータドライバ１６に供給し、補正処理を制御する。電流制御信号Ｃi(1)，Ｃi(2)，Ｃi(3)は、それぞれ、電流i_sink(id1)，i_sink(id2)，i_sink(id3)の引き込みを制御する信号である。
【０１１１】
システムコントローラ１３は、例えば工場出荷時等に補正処理を制御するときは、電流制御信号Ｃi(1)，Ｃi(2)をデータドライバ１６に供給し、外部から映像信号が供給される実使用時、又は、定期的なタイミング等に補正処理を制御するときは、電流制御信号Ｃi(3)をデータドライバ１６に供給する。
【０１１２】
電流源１６１ａ(i)は、システムコントローラ１３から、それぞれ、電流制御信号Ｃi(1)，Ｃi(2)，Ｃi(3)が供給されると、電流i_sink(id1)，i_sink(id2)，i_sink(id3)を引き込む。
【０１１３】
電圧測定部１６２は、データラインＬd(1)〜Ｌd(m)毎に電圧計１６２ｖ(1)〜１６２ｖ(m)を備えたものである。各電圧計１６２ｖ(i)（ｉ＝１〜ｍ）は、それぞれ、スイッチＳw1(i)を介して、各データラインＬd(i) の電位Ｖs(i)を計測するものである。各電圧計１６２ｖ(i)の一端は、それぞれ、電流源１６１ａ(i)の電流上流端に接続される。
【０１１４】
各電圧計１６２ｖ(i)は、ＡＤＣ（アナログ−デジタル変換器）によって構成され、各データラインＬd(i) のアナログの電位Ｖs(i)を計測し、デジタルの電位Ｖs(i)に変換してシステムコントローラ１３に出力する。
ここで、電流源部１６１と電圧測定部１６２は、本発明におけるデータ取得部をなす。
【０１１５】
データ出力部１６３は、階調信号Ｖdata(i)に対応するアナログ電圧の電圧信号Ｓv(i)をデータラインＬd(i)に出力して、電圧信号Ｓv(i)の電圧を、画素１１(i,j)のトランジスタＴ３のゲート−ソース間に接続されたキャパシタＣ１に書き込むものである。この電圧信号Ｓv(i)の電圧は、画素１１(i,j)のトランジスタＴ３のゲート電圧Ｖgsに対応する電圧である。
【０１１６】
データ出力部１６３は、ＤＡＣ（デジタル−アナログ変換器）を備え、システムコントローラ１３からデジタルの階調信号Ｖdata(i)（ｉ＝１〜ｍ）が供給され、供給された階調信号Ｖdata(i)をアナログの電圧信号Ｓv(i)に変換してデータラインＬd(i)に出力する。
【０１１７】
スイッチＳw1(1)〜Ｓw1(m)は、それぞれ、電源源１６３a(1)とデータラインＬd(1)、・・・、電源源１６３a(m)とデータラインＬd(m)との接続、遮断を行うためのスイッチである。
【０１１８】
スイッチＳw1(i)（ｉ＝１〜ｍ）の一方の端子は、それぞれ、電流源１６１ａ(i)の電流上流端に接続され、もう一方の端子は、それぞれ、データラインＬd(i)に接続される。
【０１１９】
システムコントローラ１３は、データドライバ制御信号として、切換制御信号Ｃsw1(close)又はＣsw1(open)を生成し、この切換制御信号Ｃsw1(close)又はＣsw1(open)をデータドライバ１６に供給してスイッチＳw1(i)の開閉を制御する。
【０１２０】
スイッチＳw1(i)は、システムコントローラ１３から切換制御信号Ｃsw1(close)が供給されて閉じ、各電源源１６３a(i)とデータラインＬd(i)とを接続する。
【０１２１】
また、スイッチＳw1(i)は、システムコントローラ１３から切換制御信号Ｃsw1(open)が供給されて開き、各電源源１６３a(i)とデータラインＬd(i)との間を遮断する。
【０１２２】
スイッチＳw2(1)〜Ｓw2(m)は、それぞれ、データ出力部１６３の出力端子とデータラインＬd(1)〜Ｌd(m)との接続、遮断を行うためのスイッチである。スイッチＳw2(1)〜Ｓw2(m)の一方の端子は、データ出力部１６３の各出力端子に接続され、もう一方の端子は、それぞれ、データラインＬd(1)〜Ｌd(m)に接続される。
【０１２３】
システムコントローラ１３は、制御信号として、切換制御信号Ｃsw2(close)又はＣsw1(open)を生成し、この切換制御信号Ｃsw2(close)又はＣsw1(open)をデータドライバ１６に供給することにより、このスイッチＳw2(i)（ｉ＝１〜ｍ）の開閉を制御する。
【０１２４】
スイッチＳw2(i)は、システムコントローラ１３から切換制御信号Ｃsw2(close)が供給されて閉じ、データ出力部１６３の出力端とデータラインＬd(i)とを接続する。
【０１２５】
また、スイッチＳw2(i)は、システムコントローラ１３から切換制御信号Ｃsw2(open)が供給されて開き、データ出力部１６３の出力端とデータラインＬd(i)との間を遮断する。
【０１２６】
次に本実施形態に係る表示装置１の動作を説明する。
まず、実使用時前の工場出荷時等に実行する閾値電圧Ｖth及び電流増幅率βの取得動作について説明する。この動作においては、表示装置１は、上記の電圧測定を２回行う。電圧測定を行うため、システムコントローラ１３は、セレクトドライバ１４、電源ドライバ１５、データドライバ１６にスタート信号Ｓｐ、クロック信号ＣＬＫ等を出力する。また、システムコントローラ１３は、電源ドライバ１５に電圧制御信号Ｃv(L)を供給する。
【０１２７】
セレクトドライバ１４、電源ドライバ１５、データドライバ１６は、システムコントローラ１３から供給されるスタート信号Ｓp、クロック信号ＣＬＫに応じたタイミングで動作する。
【０１２８】
セレクトドライバ１４は、図６に示すように、時刻ｔｘ（１）〜ｔｘ（２），時刻ｔｘ（２）〜ｔｘ（３），・・・，時刻ｔｘ（ｎ）〜ｔｘ（ｎ＋１）において、それぞれ、Ｈｉレベルの信号Ｖselect(1)，Ｖselect(2)，・・・，信号Ｖselect(n)を、セレクトラインＬs(1)，Ｌs(2)，・・・，Ｌs(n)に出力する。
【０１２９】
また、電源ドライバ１５は、時刻ｔｘ（１）〜ｔｘ（２），時刻ｔｘ（２）〜ｔｘ（３），・・・，時刻ｔｘ（ｎ）〜ｔｘ（ｎ＋１）において、それぞれ、電圧VL（＝０Ｖ）の信号Ｖsource(1)，Ｖsource(2)，・・・，Ｖsource(n)を、電圧ラインＬv(1)，Ｌv(2)，・・・，Ｌs(n)に出力する。尚、各時刻は、クロック信号ＣＬＫに従って予め設定された時刻である。
【０１３０】
図７に示すように、時刻ｔｘ（１）＝ｔ１１，ｔｘ（２）＝ｔ２１として、時刻ｔ１１〜ｔ２１において、セレクトドライバ１４がＨｉレベルの信号Ｖselect(1)をセレクトラインＬs(1)に出力すると、画素１１(1,1)〜１１(m,1)のトランジスタＴ１，Ｔ２がオンし、オンすることによってトランジスタＴ３もオンする。
【０１３１】
しかし、トランジスタＴ３がオンしても、電圧ラインＬv(1)の電圧がVL＝０Ｖであり、有機ＥＬ素子１１１のカソード電圧がＶcath＝０Ｖであるため、有機ＥＬ素子１１１に電流は流れない。
【０１３２】
システムコントローラ１３は、データドライバ１６に、電流制御信号Ｃi(1)、切換制御信号Ｃsw1(close)，Ｃsw2(open)を供給する。
【０１３３】
図８に示すように、データドライバ１６のスイッチＳw2(1)〜Ｓw2(m)は、切換制御信号Ｃsw2(open)が供給されて開き、データ出力部１６３とＴＦＴパネル１１とを遮断する。
【０１３４】
また、スイッチＳw1(1)〜Ｓw1(m)は、切換制御信号Ｃsw1(close)が供給されて閉じ、それぞれ、電流源１６１ａ(1)とデータラインＬd(1)、・・・、電流源１６１ａ(m)とデータラインＬd(m)とを接続する。
【０１３５】
各電流源１６１ａ(1)〜１６１ａ(m)は、システムコントローラ１３から電流制御信号Ｃi(1)が供給されて、それぞれ、電流i_sink(id1)を引き込む。
【０１３６】
各電流源１６１ａ(1)〜１６１ａ(m)がそれぞれ電流i_sink(id1)を引き込むと、電流i_sink(id1)は、電源ドライバ１５から、電圧ラインＬv(1)、画素１１(1,1)〜１１(m,1)の各トランジスタＴ３，Ｔ２、データラインＬd(1)〜Ｌd(m)を経由して、各電流源１６１ａ(1)〜１６１ａ(m)へと流れる。
【０１３７】
図７に示すように、時刻ｔ１２において、ソース電位Ｖs(1)〜Ｖs(m)が安定すると、電圧計１６２ｖ(1)〜１６２ｖ(m)は、それぞれ、データラインＬd(1)〜Ｌd(m)の電位Ｖs(1)〜Ｖs(m)を計測し、計測した電位Ｖs(1)〜Ｖs(m)をシステムコントローラ１３に出力する。
【０１３８】
補正制御部１３３は、データドライバ１６から電位Ｖs(1)〜Ｖs(m)が供給されると、補正演算部１３２に補正演算を行うように指示する。補正演算部１３２は、指示に従い、データドライバ１６から供給されたこの電位Ｖs(1)〜Ｖs(m)と信号Ｖsource(j)の電圧VL（＝０Ｖ）との差分電圧Ｖ１(1)〜Ｖ１(m)を求め、これを第１行目の各画素１１(1,1)〜１１(m,1)のトランジスタＴ３のドレイン・ソース間に印加された電圧とする。
【０１３９】
補正演算部１３２は、電流値id1と、電圧Ｖ１(1)〜Ｖ１(m)とを、補正データ記憶部１３１に記憶する。
【０１４０】
システムコントローラ１３は、その後、時刻ｔ１３において、データドライバ１６に、切換制御信号Ｃsw1(open)を出力する。
【０１４１】
データドライバ１６のスイッチＳw1(1)〜Ｓw1(m)は、切換制御信号Ｃsw1(open)が供給されて開き、電流源１６１ａ(1)とデータラインＬd(1)、・・・、電流源１６１ａ(m)とデータラインＬd(m)とが遮断され、電流i_sink(id1)が流れなくなる。
【０１４２】
時刻ｔ１４になって、システムコントローラ１３は、データドライバ１６に、電流制御信号Ｃi(2)、切換制御信号Ｃsw1(close)を出力する。
【０１４３】
スイッチＳw1(1)〜Ｓw1(m)が、システムコントローラ１３から切換制御信号Ｃsw1(close)が供給されて閉じ、それぞれ、電流源１６１ａ(1)とデータラインＬd(1)、・・・、電流源１６１ａ(m)とデータラインＬd(m)とを接続する。
【０１４４】
各電流源１６１ａ(1)〜１６１ａ(m)は、システムコントローラ１３から電流制御信号Ｃi(2)が供給されて、電流i_sink(id1)から電流i_sink(id2)に切り換える。
【０１４５】
各電流源１６１ａ(1)〜１６１ａ(m)が電流i_sink(id2)を引き込むと、図８に示すように、電流i_sink(id2)が、電源ドライバ１５から、電圧ラインＬv(1)、画素１１(1,1)〜１１(m,1)の各トランジスタＴ３，Ｔ２、データラインＬd(1)〜Ｌd(m)を経由して、各電流源１６１ａ(1)〜１６１ａ(m)へと流れる。
【０１４６】
図７に示すように、時刻ｔ１５になって、電位Ｖs(1)〜Ｖs(m)が安定すると、電圧計１６２ｖ(1)〜１６２ｖ(m)は、それぞれ、データラインＬd(1)〜Ｌd(m)の電位Ｖs(1)〜Ｖs(m)を計測し、計測した電位Ｖs(1)〜Ｖs(m)をシステムコントローラ１３に出力する。
【０１４７】
補正制御部１３３は、データドライバ１６から電位Ｖs(1)〜Ｖs(m)が供給されると、補正演算部１３２に補正演算を行うように指示する。補正演算部１３２は、指示に従い、データドライバ１６から供給されたこの電位Ｖs(1)〜Ｖs(m)と信号Ｖsource(j)の電圧VL（＝０Ｖ）との差分電圧Ｖ２(1)〜Ｖ２(m)を求め、これを第１行目の各画素１１(1,1)〜１１(m,1)のトランジスタＴ３のドレイン・ソース間に印加された電圧とする。
【０１４８】
補正演算部１３２は、電流値id2と、電圧Ｖ２(1)〜Ｖ２(m)とを、補正データ記憶部１３１に記憶する。
【０１４９】
補正演算部１３２は、補正データ記憶部１３１から、電流値id1、id2と、電圧Ｖ１(1)〜Ｖ１(m)，Ｖ２(1)〜Ｖ２(m)とを、画素１１(i,1)毎に順次、読み出し、式（４），（５）に代入してβ、閾値電圧Ｖthを取得する。
【０１５０】
補正演算部１３２は、取得した各画素１１(1,1)〜１１(m,1)のβ、閾値電圧Ｖthを補正データ記憶部１３１に記憶する。
【０１５１】
時刻ｔ２１になって、セレクトドライバ１４が、セレクトラインＬs(1)に、Ｌｏレベルの信号Ｖselect(1)を出力すると、画素１１(１1,1)〜１１(m,1)の各トランジスタＴ１，Ｔ２はオフし、トランジスタＴ３もオフする。
【０１５２】
同様に、図６に示す時刻ｔｘ（２）〜ｔｘ（３）、・・・、時刻ｔｘ（ｎ）〜ｔｘ（ｎ＋１）において、データドライバ１６は、順次、第２行目の画素１１(1,2)〜１１(m,2)、・・・、第ｎ行目の画素１１(1,n)〜１１(m,n)のトランジスタＴ３のソース電位に対応するデータラインＬd(1)〜Ｌd(m)の電位Ｖs(1)〜Ｖs(m)を２回計測して、それぞれの計測した電位Ｖs(1)〜Ｖs(m)をシステムコントローラ１３に出力する。
【０１５３】
そして、補正演算部１３２は、順次、第２行目の各画素１１(1,2)〜１１(m,2)、・・・、第ｎ行目の各画素１１(1,n)〜１１(m,n)の電流増幅率β、閾値電圧Ｖthを取得し、取得したβ、閾値電圧Ｖthを画素１１(i,j)毎に、補正データ記憶部１３１に記憶する。
【０１５４】
次に、表示装置１が、出荷された後の実使用時において実行する閾値電圧Ｖthの取得動作について説明する。この動作は、表示装置１の起動時や映像を表示する毎、あるいは、定期的等のタイミングで実行される。
【０１５５】
この動作においては、システムコントローラ１３は、電圧測定を１回だけ行う。電圧測定を行う際には、システムコントローラ１３は、電源ドライバ１５、データドライバ１６にスタート信号Ｓｐ、クロック信号ＣＬＫ等を出力する。また、システムコントローラ１３は、電源ドライバ１５に電圧制御信号Ｃv(L)を供給する。
【０１５６】
セレクトドライバ１４、電源ドライバ１５、データドライバ１６は、システムコントローラ１３からスタート信号Ｓpが供給されると動作を開始し、クロック信号ＣＬＫに従って動作する。
【０１５７】
セレクトドライバ１４は、図６に示すように、時刻ｔｘ（１）〜ｔｘ（２），時刻ｔｘ（２）〜ｔｘ（３），・・・，時刻ｔｘ（ｎ）〜ｔｘ（ｎ＋１）において、それぞれ、Ｈｉレベルの信号Ｖselect(1)，Ｖselect(2)，・・・，信号Ｖselect(n)を、セレクトラインＬs(1)，Ｌs(2)，・・・，Ｌs(n)に出力する。
【０１５８】
また、電源ドライバ１５は、時刻ｔｘ（１）〜ｔｘ（２），時刻ｔｘ（２）〜ｔｘ（３），・・・，時刻ｔｘ（ｎ）〜ｔｘ（ｎ＋１）において、それぞれ、電圧VL（＝０Ｖ）の信号Ｖsource(1)，Ｖsource(2)，・・・，Ｖsource(n)を、電圧ラインＬv(1)，Ｌv(2)，・・・，Ｌs(n)に出力する。
【０１５９】
図９に示すように、時刻ｔｘ（１）＝ｔ３１，ｔｘ（２）＝ｔ４１として、システムコントローラ１３は、時刻ｔ３１〜ｔ４１において、データドライバ１６に、電流制御信号Ｃi(3)、切換制御信号Ｃsw1(close)，Ｃsw2(open)を供給する。
【０１６０】
図８に示すように、データドライバ１６のスイッチＳw2(1)〜Ｓw2(m)は、切換制御信号Ｃsw2(open)が供給されて、データ出力部１６３とＴＦＴパネル１１とを遮断する。
【０１６１】
スイッチＳw1(1)〜Ｓw1(m)は、切換制御信号Ｃsw1(close)が供給されて、それぞれ、電流源１６１ａ(1)とデータラインＬd(1)、・・・、電流源１６１ａ(m)とデータラインＬd(m)とを接続する。
【０１６２】
各電流源１６１ａ(1)〜１６１ａ(m)は、システムコントローラ１３から電流制御信号Ｃi(3)が供給されて、それぞれ、電流i_sink(id3)を引き込む。
【０１６３】
時刻ｔ３２において、電位Ｖs(1)〜Ｖs(m)が安定すると、電圧計１６２ｖ(1)〜１６２ｖ(m)は、それぞれ、データラインＬd(1)〜Ｌd(m)の電位Ｖs(1)〜Ｖs(m)を計測し、計測した電位Ｖs(1)〜Ｖs(m)をシステムコントローラ１３に出力する。
【０１６４】
補正制御部１３３は、データドライバ１６から電位Ｖs(1)〜Ｖs(m)が供給されると、補正演算部１３２に補正演算を行うように指示する。補正演算部１３２は、指示に従い、データドライバ１６から供給されたこの電位Ｖs(1)〜Ｖs(m)と信号Ｖsource(j)の電圧VL（＝０Ｖ）との差分に基づいて、第１行目の各画素１１(1,1)〜１１(m,1)のトランジスタＴ３に印加された電圧Ｖ３(1)〜Ｖ３(m)を求める。
【０１６５】
補正演算部１３２は、電流値id3と、電圧Ｖ３(1)〜Ｖ３(m)とを、補正データ記憶部１３１に記憶する。
【０１６６】
補正演算部１３２は、補正データ記憶部１３１から、電流値id3と、第１行目の画素１１(1,1)〜１１(m,1)の電圧Ｖ３とを、順次、読み出し、それぞれ、式（９）に代入して閾値電圧Ｖthを取得する。
【０１６７】
補正演算部１３２は、取得した閾値電圧Ｖthを、画素１１(1,1)〜１１(m,1)毎に、補正データ記憶部１３１に記憶する。上記の工場出荷時等に取得されて補正データ記憶部１３１に記憶されていた各画素１１(i,j)の閾値電圧Ｖthは、この実使用に取得された閾値電圧Ｖthに更新される。
【０１６８】
次に、表示装置１に外部から映像信号Imageが供給されて、ＴＦＴパネル１１に映像信号に応じた画像情報を表示する時の動作について説明する。
このとき、表示信号生成回路１２は、供給された映像信号Imageから表示データＰic、同期信号Ｓyncを取得してシステムコントローラ１３に供給する。そして、システムコントローラ１３は、表示信号生成回路１２から供給された表示データＰicを、画素１１(i,j)毎に、補正データ記憶部１３１に記憶する。
【０１６９】
補正演算部１３２は、補正データ記憶部１３１から、式（８）に関係するデータを補正データ記憶部１３１から読み出し、読み出した閾値電圧Ｖth、β、表示データＰicを、式（８）に代入して、各画素１１(i,j)に対応する階調信号Ｖdata(i)を生成して出力する。
【０１７０】
図１０に示すように、時刻ｔｘ（１）＝ｔ５１、時刻ｔｘ（２）＝ｔ６１として、時刻ｔ５１において、セレクトドライバ１４がＨｉレベルの信号Ｖselect(1)をセレクトラインＬs(1)に出力すると、画素１１(1,1)〜画素１１(m,1)のトランジスタＴ１，Ｔ２がオンし、トランジスタＴ３もオンする。
【０１７１】
しかし、有機ＥＬ素子１１１のカソードの電位が０Ｖであるため、電源ドライバ１５が０Ｖの信号Ｖsource(1)を電圧ラインＬv(1)に出力しても、有機ＥＬ素子１１１には電流は流れない。
【０１７２】
システムコントローラ１３は、データドライバ１６に、切換制御信号Ｃsw1(open)，Ｃsw2(close)を出力する。
【０１７３】
スイッチＳw1(1)〜Ｓw1(m)は、システムコントローラ１３から切換制御信号Ｃsw1(open)が供給されて開き、スイッチＳw2(1)〜Ｓw2(m)は、システムコントローラ１３からＣsw2(close)が供給されて閉じる。
【０１７４】
図１１に示すように、スイッチＳw1(1)〜Ｓw1(m)が開くと、電流源１６１ａ(1)とデータラインＬd(1)、・・・、電流源１６１ａ(m)とデータラインＬd(m)とが遮断される。
【０１７５】
また、スイッチＳw2(1)〜Ｓw2(m)が閉じると、ＴＦＴパネル１１とデータ出力部１６３とが接続される。
【０１７６】
システムコントローラ１３は、第１行目の階調信号Ｖdata(1)〜Ｖdata(m)を補正演算部１３２からデータドライバ１６に出力する。データドライバ１６のデータ出力部１６３は、システムコントローラ１３から供給されたデジタルの階調信号Ｖdata(1)〜Ｖdata(m)を、それぞれ、アナログの電圧信号Ｓv(1)〜Ｓv(m)に変換してデータラインＬd(1)〜Ｌd(m)に出力する。
【０１７７】
データ出力部１６３が、それぞれ、電圧信号Ｓv(1)〜Ｓv(m)をデータラインＬd(1)〜Ｌd(m)に出力すると、図１１の矢印で示すように、電流i_sinkが、電源ドライバ１５から、画素１１(1,1)，・・・，１１(m,1)、スイッチＳw2(1)〜Ｓw2(m)を経由して、データ出力部１６３へと流れ込む。
【０１７８】
電流i_sinkが流れることによって、画素１１(1,1)，・・・，１１(m,1)の各キャパシタＣ１は、電圧信号Ｓv(1)〜Ｓv(m)の電圧で充電される。
【０１７９】
図１０に示す時刻ｔ６１になると、セレクトドライバ１４は、セレクトラインＬs(1)に、Ｌｏレベルの信号Ｖselect(1)を出力する。
【０１８０】
信号Ｖselect(1)がＬｏレベルに立ち下がると、画素１１(１1,1)〜１１(m,1)の各トランジスタＴ１，Ｔ２はオフし、トランジスタＴ３もオフする。
【０１８１】
画素１１(１1,1)〜１１(m,1)の各キャパシタＣ１は、それぞれ、充電された電圧信号Ｓv(1)〜Ｓv(m)の電圧を保持する。
【０１８２】
同様に、図６に示す時刻ｔｘ（２）〜ｔｘ（３）、・・・、ｔ（ｎ）〜ｔ（ｎ＋１）において、システムコントローラ１３は、第２行目〜第ｎ目の画素１１(i,j)についても、第１行目と同様に、書き込み動作を制御し、各キャパシタＣ１は、充電された電圧信号Ｓv(1)〜Ｓv(m)の電圧を保持する。
【０１８３】
書き込み動作が完了すると、システムコントローラ１３は、発光動作を制御する。セレクトドライバ１４は、図１２に示すように、時刻ｔ７１において、Ｌｏレベルの信号Ｖselect(1)〜Ｖselect(n)を、それぞれ、セレクトラインＬs(1)〜Ｌs(n)に出力する。
【０１８４】
セレクトセレクトラインＬs(1)〜Ｌs(n)の信号レベルがＬｏレベルになると、すべての画素１１(i,j)のトランジスタＴ１，Ｔ２はオフする。
【０１８５】
システムコントローラ１３は、電源ドライバ１５に、電圧制御信号Ｃv(H)を供給する。電源ドライバ１５は、システムコントローラ１３から、この電圧制御信号Ｃv(H)が供給されて、電圧VH（＝＋１５Ｖ）の信号Ｖsource(1)〜Ｖsource(n)を、電圧ラインＬv(1)〜Ｌv(n)に出力する。
【０１８６】
電圧ラインＬv(1)〜Ｌv(n)の電圧がVHになると、各画素１１(i,j)のトランジスタＴ３は、各キャパシタＣ１が保持した電圧をゲート電圧Ｖgsとして、この信号ゲート電圧Ｖgsに対応する電流を有機ＥＬ素子１１１に供給する。
【０１８７】
そして、各有機ＥＬ素子１１１は、この電流が流れることにより、この電流の電流値に対応する輝度で発光する。
【０１８８】
以上説明したように、本実施形態によれば、表示装置１は、実使用時前の工場出荷時等に、例えば電流供給電圧測定方式による各データラインの電位測定を２回行うことにより、閾値電圧と電流増幅率とを求めるようにした。
【０１８９】
従って、閾値電圧Ｖthに基づく補正だけでなく、電流増幅率βのばらつきに対応した補正を行うことができ、ディスプレイ特性に対応する補正をより良く行うことができる。このため、画質を向上させることができる。
【０１９０】
また、工場出荷時等に、電流増幅率βの値が取得されているため、実使用時においては、各データラインの電位測定を１回だけ行うことによってのその時点での閾値電圧Ｖthを求めることができて、閾値電圧Ｖthの変動に対する補正も容易となる。
【０１９１】
尚、本発明を実施するにあたっては、種々の形態が考えられ、上記実施形態に限られるものではない。
【０１９２】
例えば、上記実施形態では、データドライバ１６は、電流供給電圧測定方式に従って電圧測定を行うようにした。しかし、測定方式は、電流供給電圧測定方式に限られるものではなく、データドライバ１６は、電圧印加電流測定方式に従って電流測定を行うこともできる。
【０１９３】
この場合、データドライバ１６は、図１３に示すように、電流測定部１６４を備える。この電流測定部１６４は、電流計１６４ａ(1)〜１６４ａ(m)を備える。この電流計１６４ａ(1)〜１６４ａ(m)は、それぞれ、データラインＬd(1)〜Ｌd(m)に流れる電流i_sinkを計測するものである。
【０１９４】
そして、システムコントローラ１３は、予め設定された電圧ＶxをデータラインＬd(1)〜Ｌd(m)に印加し、電流計１６４ａ(1)〜１６４ａ(m)は、それぞれ、計測した電流i_sink(1)〜i_sink(m)をシステムコントローラ１３に出力する。
【０１９５】
また、上記実施形態では、工場出荷時に行う電圧測定の回数を２回とした。しかし、回数は、複数回であれば、２回以上であってもよい。
【０１９６】
また、上記実施形態では、データドライバ１６が電圧測定を行う時期も、工場出荷時に限られるものではなく、例えば、製品出荷後、表示装置１の電源が、最初に投入されたときであってもよい。
【０１９７】
また、上記実施形態では、各画素１１(i,j)が発光素子として有機ＥＬ素子を備えるものとしたが、発光素子はこれに限るものではなく、例えば、無機エレクトロルミネッセンス素子（無機ＥＬ素子）、あるいは、発光ダイオード（ＬＥＤ）等のような電流駆動型の発光素子であればよい。
【０１９８】
また、各画素１１(i,j)が発光素子と３個のトランジスタＴ１〜Ｔ３を有して構成されるものとしたが、発光素子に供給する電流の電流値を制御する駆動トランジスタと、書き込み動作時に駆動トランジスタに電流を流す構成を備えるものであれば、これに限るものではなく、例えば４個以上のトランジスタから構成されるものであってもよい。
【０１９９】
また、上記実施形態では、書き込み動作時にデータドライバ１６側に電流を引き込むものとしたが、これに限るものではなく、各画素１１(i,j)におけるトランジスタや発光素子の構成に応じて、データドライバ１６から押し込む方向に電流を流すものであってもよい。
【０２００】
上記実施形態では、電圧測定部１６２の電圧計１６３ｖ(i)の一端がそれぞれ、電流源１６１ａ(i)の電流上流端に接続され、各電圧ラインＬv(j)に印加される電圧Ｖsource(j)の電圧との差分に基づいて各画素１１(i,j)の各トランジスタＴ３のソース電位Ｖsを計測するものとして説明した。
【０２０１】
しかし、電圧計１６３ｖ(i)の他端を、電圧ラインＬv(1)〜Ｌv(n)に接続するか、あるいは、信号Ｖsource(1)〜Ｖsource(n)の電圧VLを０Ｖに固定して、電圧計１６３ｖ(i)が、それぞれ、各画素１１(i,j)の各トランジスタＴ３の印加電圧Ｖ１，Ｖ２，Ｖ３を直接計測するものとしてもよい。
【図面の簡単な説明】
【０２０２】
【図１】本発明の実施形態に係る表示装置の構成を示すブロック図である。
【図２】図１に示す画素の構成を示す図である。
【図３】図１に示す駆動用トランジスタの書き込み動作時の電圧−電流特性を示す図である。
【図４】図１に示すシステムコントローラの構成を示す図である。
【図５】図１に示すデータドライバの構成を示す図である。
【図６】図１に示す表示装置の動作を示すタイミングチャートである。
【図７】工場出荷時等に行う測定動作を示すタイミングチャートである。
【図８】工場出荷時等に行う測定動作における電流の流れを示す図である。
【図９】実使用時に行う測定動作を示すタイミングチャートである。
【図１０】書き込み動作時の動作を示すタイミングチャートである。
【図１１】書き込み動作時における電流の流れを示す図である。
【図１２】発光時の動作を示すタイミングチャートである。
【図１３】応用例として、電圧印加電流測定方式によるデータドライバの構成を示す図である。
【符号の説明】
【０２０３】
１・・・表示装置、１１・・・ＴＦＴパネル、１２・・・表示信号生成回路、１３・・・システムコントローラ、１４・・・セレクトドライバ、１５・・・電源ドライバ、１１１・・・有機ＥＬ素子、１６１・・・電流源部、１６１ａ(1)〜１６１ａ(m)・・・電流源、１６２・・・電圧測定部、１６２ｖ(1)〜１６２ｖ(m)・・・電圧計、１６３・・・データ出力部、Ｔ１〜Ｔ３・・・トランジスタ、Ｃ１・・・キャパシタ
【図１】
2010085498.tif 000014
【図２】
2010085498.tif 000015
【図３】
2010085498.tif 000016
【図４】
2010085498.tif 000017
【図５】
2010085498.tif 000018
【図６】
2010085498.tif 000019
【図７】
2010085498.tif 000020
【図８】
2010085498.tif 000021
【図９】
2010085498.tif 000022
【図１０】
2010085498.tif 000023
【図１１】
2010085498.tif 000024
【図１２】
2010085498.tif 000025
【図１３】
2010085498.tif 000026
【手続補正書】
【提出日】平成21年10月7日(2009.10.7)
【手続補正１】
【補正対象書類名】明細書
【補正対象項目名】００５２
【補正方法】変更
【補正の内容】
【００５２】
各画素１１(1,1)〜１１(m,1)のトランジスタＴ２のゲートは、セレクトラインＬs(1)に接続される。同様に、各画素１１(1,2)〜１１(m,2)のトランジスタＴ２のゲートは、セレクトラインＬs(2)に、・・・、各画素１１(1,n)〜１１(m,n)のトランジスタＴ２のゲートは、セレクトラインＬs(n)に接続される。
【手続補正２】
【補正対象書類名】明細書
【補正対象項目名】００７９
【補正方法】変更
【補正の内容】
【００７９】
そして、式（３）のドレイン電流Ｉｄと式（７）の有機ＥＬ素子１１１に流れる電流Ｉelとが等しいことから、電圧信号Ｖsigと信号Ｖcodeとの関係として、次の式（８）が導かれる。
【数８】
2010085498.tif 000027
・・・（８）
【手続補正３】
【補正対象書類名】明細書
【補正対象項目名】００９１
【補正方法】変更
【補正の内容】
【００９１】
また、データドライバ１６は、例えば、表示装置１の実使用時の起動時や映像を表示する毎、あるいは、定期的等のタイミングで、各画素１１(i,j)から各データラインＬd(1)〜Ｌd(m)を介して、電流値id3の電流i_sink(id3)を引き込んで、行毎に、各データラインＬd(1) 〜Ｌd(m)の電位Ｖs(1)〜Ｖs(m)を測定する。
【手続補正４】
【補正対象書類名】明細書
【補正対象項目名】０２００
【補正方法】変更
【補正の内容】
【０２００】
上記実施形態では、電圧測定部１６２の電圧計１６２ｖ(i)の一端がそれぞれ、電流源１６１ａ(i)の電流上流端に接続され、各電圧ラインＬv(j)に印加される電圧Ｖsource(j)の電圧との差分に基づいて各画素１１(i,j)の各トランジスタＴ３のソース電位Ｖsを計測するものとして説明した。
【手続補正５】
【補正対象書類名】明細書
【補正対象項目名】０２０１
【補正方法】変更
【補正の内容】
【０２０１】
しかし、電圧計１６２ｖ(i)の他端を、電圧ラインＬv(1)〜Ｌv(n)に接続するか、あるいは、信号Ｖsource(1)〜Ｖsource(n)の電圧VLを０Ｖに固定して、電圧計１６２ｖ(i)が、それぞれ、各画素１１(i,j)の各トランジスタＴ３の印加電圧Ｖ１，Ｖ２，Ｖ３を直接計測するものとしてもよい。